(57)【特許請求の範囲】
【請求項１】
軸支部を有する基台と、
踏み込みされて前記基台の前記軸支部を中心に回動するフットボードと、
前記基台の長手方向における前記軸支部から遠い側の端部寄りの位置に設けられ、前記フットボードの動作を検出するための検出手段とを有し、
前記フットボードは、前記軸支部に対して一端部が軸支された樹脂部と、前記樹脂部の自由端部寄りの位置に配設された金属プレートとを有し、
前記金属プレートは、前記フットボードが踏み込まれた状態における前記フットボードの平面視において前記検出手段に重なる位置に配設されることを特徴とする電子打楽器用のペダル装置。
【請求項２】
前記金属プレートは、前記樹脂部の自由端部寄りの上側の領域に形成された収容凹部に収容されたことを特徴とする請求項１記載の電子打楽器用のペダル装置。
【請求項３】
前記フットボードには、前記収容凹部に収容された前記金属プレートと共に前記樹脂部を上方から覆う金属カバー材が設けられたことを特徴とする請求項２記載の電子打楽器用のペダル装置。
【請求項４】
前記金属プレートは、同一形状の複数の金属プレートが重なってなることを特徴とする請求項１〜３のいずれか1項に記載の電子打楽器用のペダル装置。
【発明の詳細な説明】
【技術分野】
【０００１】
本発明は、電子打楽器用のペダル装置に関する。
【背景技術】
【０００２】
従来、電子打楽器用のペダル装置が知られている。この種のペダル装置は通常、ベース部（基台）に対してフットボードが操作により相対的に回動し、フットボードの動作をセンサやスイッチ等の検出手段で検出することで、楽音発生のための信号が得られる。例えば、下記特許文献１のペダル装置は、バスドラム用として構成される。
【０００３】
この特許文献１に例示されるように、フットボードは踏み込みによる押圧力を受けると共に、検出手段を駆動する部分も有するのが通常であるので、高い強度を要する。特にバスドラムでは強い力で踏み込まれるため一層の強度が必要である。そのため、従来のペダル装置においては、フットボードの全体は厚みのある金属で構成される。
【先行技術文献】
【特許文献】
【０００４】
【特許文献１】特開２００８−１４５４６４号公報
【発明の概要】
【発明が解決しようとする課題】
【０００５】
しかしながら、フットボードが金属製であると重量が大きくなるという問題があった。また、フットボードは検出手段を駆動する上で、慣性質量が大きい方が好ましいが、軽量化を検討する際には重心位置も考慮することが望まれる。
【０００６】
本発明は上記従来技術の問題を解決するためになされたものであり、その目的は、検出手段の良好な感度を維持しつつ軽量化を図ることができる電子打楽器用のペダル装置を提供することにある。
【課題を解決するための手段】
【０００７】
上記目的を達成するために本発明の請求項１の電子打楽器用のペダル装置は、軸支部（１９）を有する基台（１０）と、踏み込みされて前記基台の前記軸支部を中心に回動するフットボード（２０）と、前記基台の長手方向における前記軸支部から遠い側の端部（１０ｂ）寄りの位置に設けられ、前記フットボードの動作を検出するための検出手段（１８）とを有し、前記フットボードは、前記軸支部に対して一端部（２０ａ）が軸支された樹脂部（３０）と、前記樹脂部の自由端部（２０ｂ）寄りの位置に配設された金属プレート（３１、３２）とを有し、前記金属プレートは、前記フットボードが踏み込まれた状態における前記フットボードの平面視において前記検出手段に重なる位置に配設されることを特徴とする。
【０００８】
好ましくは、前記金属プレートは、前記樹脂部の自由端部寄りの上側の領域に形成された収容凹部（３４）に収容される（請求項２）。好ましくは、前記フットボードには、前記収容凹部に収容された前記金属プレートと共に前記樹脂部を上方から覆う金属カバー材（３３）が設けられる（請求項３）。好ましくは、前記金属プレートは、同一形状の複数の金属プレートが重なってなる（請求項４）。
【０００９】
なお、上記括弧内の符号は例示である。
【発明の効果】
【００１０】
本発明の請求項１によれば、検出手段の良好な感度を維持しつつ軽量化を図ることができる。
【００１１】
請求項２によれば、金属プレートの配置位置を簡単に規制することができる。
【００１２】
請求項３によれば、強度を確保することができる。
【００１３】
請求項４によれば、質量の調節が容易である、製造が容易となる。
【図面の簡単な説明】
【００１４】
【図１】本発明の一実施の形態に係る電子打楽器用のペダル装置の模式的な側面図（図（ａ））、同ペダル装置の基台の模式的な平面図（図（ｂ））である。
【図２】フットボードの後半部の縦断面図、平面図である。
【発明を実施するための形態】
【００１５】
以下、本発明の実施の形態を図面を参照して説明する。
【００１６】
図１（ａ）は、本発明の一実施の形態に係る電子打楽器用のペダル装置の模式的な側面図であり、一部を断面で示している。図１（ｂ）は、同ペダル装置の基台の模式的な平面図である。
【００１７】
このペダル装置は、例えば、電子打楽器としてのバスドラムに用いられるキックペダルに好適である。このペダル装置は、床面の上に設置されて、フットボード２０の踏み込みにより演奏操作がされる。以降、ペダル装置の前後、上下方向は、水平な床面に載置された状態を基準とし、図１（ａ）の右側、上側が、それぞれ前側、上側とする。
【００１８】
図１（ａ）、（ｂ）に示すように、ペダル装置はベース部である基台１０を有し、基台１０上に、板状のフットボード２０が配設される。基台１０の前部であるヒール１０ａに、左右方向（図１（ａ）の奥行き方向）に沿って軸支部である回動軸１９が設けられる。回動軸１９に、フットボード２０の一端部である前端部２０ａが軸支されている。これにより、フットボード２０は、回動軸１９を中心に自由端部である後端部２０ｂが上下方向（図１（ｂ）の時計及び反時計方向）に回動自在になっている。以降、回動方向については、後端部２０ｂが図１（ａ）の反時計方向に回動する方向を「踏み込み方向」、時計方向に回動する方向（踏み込み方向の反対方向）を「踏み上げ方向」と呼称する。
【００１９】
基台１０とフットボード２０との間にはコイルバネ２１が配設される。コイルバネ２１は、フットボード２０の自重による負荷を受けて圧縮され、フットボード２０を踏み上げ方向に付勢して初期位置に維持する。さらに、踏み込み方向に回動したフットボード２０を踏み上げ方向に付勢して初期位置に復帰させる。
【００２０】
基台１０の長手方向において、基台１０上には、回動軸１９から遠い側の端部寄り（後端部１０ｂ寄り）の位置に配設部１２が設けられている。配設部１２には、支持部１５、１６でクッション材１７がブリッジ状に支持され、クッション材１７の下面に、ピエゾセンサ等でなるセンサ１８が配設される。
【００２１】
フットボード２０の踏み込み操作により、フットボード２０がクッション材１７を打撃して、その振動をセンサ１８が検出し、信号を出力する。ただし、センサ１８は、最低限、フットボード２０により押圧されて信号を出力する検出手段であればよく、種類は限定されない。
【００２２】
フットボード２０の下面のうち、少なくともクッション材１７を押圧する部分は、クッション材１７に対して面で当接するように平坦面に形成され、衝撃や圧力が均等に与えられるようになっている。フットボード２０の下面のうち、コイルバネ２１が配設される部分は上方に窪んだ凹部となっている。
【００２３】
図１（ｂ）に示すように、基台１０の例えば後端部１０ｂには、センサ１８から出力される信号を外部に送るためのジャック部２２が設けられ、センサ１８の出力信号は、ジャック部２２から外部に送出され、外部装置において打撃演奏トリガ信号や楽音パラメータ制御信号として処理され、打撃演奏データに変換されたり、リアルタイムに音響に変換されたりする。
【００２４】
次に、フットボード２０の詳細な構成を説明する。図２（ａ）、（ｂ）は、フットボード２０の後半部の縦断面図、平面図である。図２（ｂ）では、構成要素の一部を破断して示している。
【００２５】
フットボード２０は、前後方向略全長に亘って延在する樹脂部３０を有し、樹脂部３０の上に、樹脂部３０の周縁部を除くほぼ全体を覆う金属カバー材３３が配設される。金属カバー材３３は、足で直接踏まれる部分となる。フットボード２０の後端部２０ｂ付近には、金属プレート３１、３２が設けられる。
【００２６】
まず、樹脂部３０はほぼ板状に構成されるが、全周に亘る縁部の内側にカバー収容部３５が窪んで形成されている（図２（ｂ））。また、樹脂部３０の自由端部でもある後端部２０ｂ付近の上側の領域には、下方に窪んだ収容凹部３４が形成される。収容凹部３４はカバー収容部３５の一部でもあり、カバー収容部３５の前半部より深い凹部として形成される。
【００２７】
そして、収容凹部３４に、同一形状の２枚の金属プレート３１、３２が、収容凹部３４の内壁によって配置位置が規制された状態で積層配置されている。収容凹部３４に金属プレート３１、３２が配設された状態では、上側の金属プレート３１の上面とカバー収容部３５内における樹脂部３０の上面３０ａとが面一となり、この面一部分の上に、金属カバー材３３が配設される（図２（ａ）参照）。
【００２８】
金属カバー材３３は、不図示のネジ等の固定具により樹脂部３０に固定される。金属プレート３１、３２は、金属カバー材３３によって上方から押さえられるので、独自に固定する必要はない。なお、金属プレート３１と金属カバー材３３との間に緩衝材を介在させて消音効果を得るようにしてもよい。
【００２９】
ここで、樹脂部３０の下面のうち収容凹部３４が位置する部分の下面が、踏み込み時にクッション材１７に対向するようになっている。従って、金属プレート３１、３２の配置位置は、フットボード２０が踏み込まれた状態におけるフットボード２０の平面視においてセンサ１８に重なる位置となっている（図１（ｂ）参照）。
【００３０】
ところで、本ペダル装置はキックペダルとして用いるので、フットボード２０の動作を検出する検出手段としては、フットボード２０から打撃されることによる衝撃ないし振動を検出する種類のものが適している。そのため、センサ１８は、変位量が大きいフットボード２０の自由端側に対応して、基台１０の後端部１０ｂ寄りに配置されている。
【００３１】
これに対応して、センサ１８が衝撃を感知する際の感度を高めるためには、センサ１８に衝撃を与えるフットボード２０の部分にフットボード２０の質量を集中させるのが好ましい。その一方、フットボード２０の全体の重量があまりに大きくなることは好ましくない。そこで本実施の形態では、軽量な樹脂部３０で基本形状を定め、樹脂部３０に対して比重が大きい金属プレート３１、３２を、センサ１８に対応する樹脂部３０の位置（収容凹部３４）に配置した。その結果、フットボード２０全体の重心位置Ｍは、踏み込み時に上下方向においてセンサ１８と重なるようになった（図１（ｂ）参照）。
【００３２】
本実施の形態によれば、比重の高い金属プレート３１、３２が、可動ストロークの大きな樹脂部３０の後端部２０ｂ寄りの位置に配設されたので、金属プレート３１、３２が回動軸１９から遠い位置にある錘として機能し、フットボード２０の全体を金属製にすることに比べ、軽量化を図りつつ、回動軸１９を中心とした慣性質量を効率的に大きくすることが可能となる。しかも、金属プレート３１、３２は、踏み込み状態においてセンサ１８に重なる位置に配設された。これらにより、センサ１８の良好な感度を維持しつつペダル装置の軽量化を図ることができる。
【００３３】
また、金属プレート３１、３２は、樹脂部３０の収容凹部３４に収容されるので、配置位置を簡単に規制することができる。さらに、収容凹部３４に収容された金属プレート３１、３２と共に樹脂部３０の全体を金属カバー材３３で上方から覆うので、樹脂をベースとしつつもフットボード２０の強度を確保することができる。
【００３４】
ところで、金属プレート３１、３２は同一形状で、２枚が重ねられるので、質量の調節が容易であり、製造が容易となる。金属プレートとしては３枚以上の複数積層でもよいが、音鳴り防止のためには２枚が好ましい。
【００３５】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３６】
１０  基台、  １０ｂ  後端部、  １９  回動軸（軸支部）、  １８  センサ（検出手段）、  ２０  フットボード、  ２０ａ  前端部（一端部）、  ２０ｂ  後端部（自由端部）、  ３０  樹脂部、  ３１、３２  金属プレート、  ３３  金属カバー材、  ３４  収容凹部
【図１】
0005895710.tif 000002
【図２】
0005895710.tif 000003